(57)【要約】【課題】アナログ放送の、延長番組や時間帯が変更になった番組を録画する場合に、より確実に所望の番組全体を録画する。【解決手段】  ＤＶＤレコーダ１の制御部９は、ＲＯＭ内に、録画予約処理、録画処理、初期設定処理を実行するサブルーチンを記憶している。録画予約処理９１では番組録画の予約と同時に最大延長時間を設定する。録画処理９２では、録画開始直後に音声情報、ＶＢＩの情報を初期データとしてフラッシュメモリ９６に記録する。その後も音声情報等を検出し定期的に記録する。終了予定時刻になっても、これらの情報に変更がない場合には録画を継続し、これらのいずれかに変更があったときは、５分のタイマを起動させ、５分を経過すると、番組が切り換わったとして録画を停止させる。５分以内に元の初期データに戻れば、ＣＭの時間であったとして録画を継続する。  【選択図】図１
2009164934.tif 000002
【特許請求の範囲】
【請求項１】
アナログ放送を受信する受信部と、
前記受信部が受信したアナログ放送を録画する録画部と、を備えた録画装置において、
データを記憶するメモリを備え、
前記受信部は、受信した放送から音声形式とＶＢＩの情報を抽出して前記メモリに記憶させ、
前記録画部は、前記メモリに記憶した音声形式とＶＢＩの情報のいずれかが、録画開始時と異なっている状態になったか監視し、前記異なっている状態が所定時間Ｔ２続く場合には、録画を終了し、Ｔ２以内に、前記メモリに記憶した音声形式とＶＢＩの情報が録画開始時とすべて録画開始時と同じ状態に戻る場合には、録画を継続する録画装置。
【請求項２】
前記Ｔ２の設定を受け付ける初期設定手段をさらに備える請求項１に記載の録画装置。
【請求項３】
前記録画部は、前記ＶＢＩの情報としてアスペクト比、著作権保護の情報のいずれか１以上を検出し、前記音声情報として、ステレオ、モノラルのいずれかのフォーマットを監視する請求項１または請求項２のいずれかに記載の録画装置。
【発明の詳細な説明】
【技術分野】
【０００１】
本発明は、映像信号を記録する録画装置に関し、特に、延長番組や、時間帯が変更になった番組を録画する場合の処理に関する。
【背景技術】
【０００２】
従来、放送を録画予約できる録画装置が実用化されている。さらに、放送番組が、例えば、野球放送などで延長される場合に対応して、この延長録画設定が可能な装置が実用化されている。この装置では、録画装置でユーザが放送番組予約するときに、録画予約の設定画面で、ユーザが設定した延長時間だけ録画時間が延長される設定を行っていた。
【０００３】
一方、特許文献１には、番組放送時刻が延長されたとしても、放送番組の最後まで、録画するために、音声放送方式、例えば、モノラル、ステレオの情報について、録画予約情報と、録画中とで比較する装置が開示されている。特許文献２には、ＶＰＳ（Video Program System）等の、１つの番組に固有の放送番組コード（放送日付および放送時刻等により構成される）が付加された映像信号が放送される場合に、このコードと、録画番組コードと比較して不一致であればタイマ録画を即座に中止する装置が開示されている。なお、非特許文献１によれば、ＶＰＳは、ＶＢＩ（Vertical Blanking Interval）のデータの一種である。さらに、デジタル放送を受信する場合には、デジタルデータとして送信される放送番組の情報を利用して延長する方法があった。
【特許文献１】特開２００６−１８６４６８公報
【特許文献２】特開平２−２２０２４４号公報
【非特許文献１】TVP5150AVBI Quick Start.pdf(http://focus.ti.com/lit/an/sleu046/sleu046.pdf)
【発明の開示】
【発明が解決しようとする課題】
【０００４】
しかしながら、単に予め時間を定めて延長するだけでは、無駄な時間分の録画を行う可能性があると共に、番組全体を録画できない虞があった。また、音声方式だけを検出する装置では、次の番組に切り替わっても、音声方式が変わらないことも多くあった。逆に、音声方式が変わった場合でも、ＣＭが始まると番組が終了していないのにもかかわらず、録画を終了する虞があった。また、ＶＰＳ等を検出するだけでは、ＶＰＳが同じである限り録画を継続するから、切換のタイミングを逸してしまう虞があった。特に、日本以外の国では、適切な情報をＶＰＳに付加しない放送局があった。その場合には、記録媒体がなくなるか、ユーザが止めるまで録画し続ける可能性があった。
【０００５】
さらに、デジタル放送は、全世界、全地域で実施されているものではなく、日本でも、一部の地域では、デジタル放送に移行しても、アナログ放送がいまだ実施される可能性がある。
【０００６】
そこで、本発明は、アナログ放送について、延長番組や時間帯が変更になった番組を録画する場合に、より確実に所望の番組全体を録画することを目的とする。
【課題を解決するための手段】
【０００７】
上記課題を解決するために、以下の構成を備えることができる。
【０００８】
（１）  アナログ放送を受信する受信部と、
前記受信部が受信したアナログ放送を録画する録画部と、を備えた録画装置において、
データを記憶するメモリを備え、
前記受信部は、受信した放送から音声形式とＶＢＩの情報を抽出して前記メモリに記憶させ、
前記録画部は、前記メモリに記憶した音声形式とＶＢＩの情報のいずれかが、録画開始時と異なっている状態になったか監視し、前記異なっている状態が所定時間Ｔ２続く場合には、録画を終了し、Ｔ２以内に、前記メモリに記憶した音声形式とＶＢＩの情報が録画開始時とすべて録画開始時と同じ状態に戻る場合には、録画を継続する。
【０００９】
この構成では、音声形式、ＶＢＩの両方のいずれかの変化が録画開始時と異なっているかを監視しているので、そのうちのいずれかが変化がない場合でも、より確実に番組の終了を検出できる。また、一時的にＣＭになっても、この状態が所定時間Ｔ２続かない場合には、録画を継続するので、番組途中のＣＭで録画を終了してしまうことが少なく、より確実に番組の終了を検出できる。
【００１０】
（２）  前記Ｔ２の設定を受け付ける初期設定手段をさらに備える。
【００１１】
この構成では、Ｔ２の設定を受け付けるので、ユーザは、この時間を調節できる。例えば、ユーザが録画する番組がＣＭの長い番組であると予め知っている場合には、この時間を長くすれば、ＣＭをはさんでも、より確実に録画が可能である。ＣＭが短い番組であると知っている場合には、無駄な録画を付け加えなくても済む。
【００１２】
（３）  前記録画部は、前記ＶＢＩの情報としてアスペクト比、著作権保護の情報のいずれか１以上を検出し、前記音声情報として、ステレオ、モノラルのいずれかのフォーマットを監視するようにしてもよい。
【発明の効果】
【００１３】
本発明によれば、延長番組や、時間帯が変更になった番組を録画する場合に、より確実に、所望の放送番組全体を、より超過時間を少なくして録画することができる。
【発明を実施するための最良の形態】
【００１４】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている映像ファイルの再生を行う。
【００１５】
ＤＶＤレコーダ１は、受信部２、符号化部３、記録／読取部４、信号処理部５、出力部６、操作部８、制御部９を備える。入力部２は、放送信号を受信する受信部を備えている。アンテナ等（不図示）で受信した放送信号から、映像信号、音声信号、文字情報を抽出する。また、入力部２には、外部の映像装置から映像信号、音声信号を入力してもよい。
【００１６】
受信部は、アナログ放送を受信する。受信部は、中間周波数を抽出するフィルタと、この中間周波数帯域を増幅する中間周波数増幅部を備える。また、色信号再生部、同期検出回路を備える。色信号再生部は、カラー映像信号から色信号を取り出し、ＲＧＢの３原色信号を生成する。同期検出回路は、カラー映像信号から水平同期信号、垂直同期信号を取り出す。
【００１７】
符号化部３は、入力部２で入力したアナログ形式の映像信号および音声信号をデジタル信号に変換して、これらをエンコードする。符号化部３は、このエンコードしたデータをディスクドライブ４に出力する。
【００１８】
記録／読取部４は、光ディスクドライブ４１と、ハードディスク４２（ＨＤ４２と略す）と、ハードディスクドライブ４３（ＨＤＤ４３と略す）を備える。ドライブ４１は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、ドライブ４１は、ＤＶＤ１０の読出・記録をする。ＨＤＤ４３は、ＨＤ４２にデータを記録し、記録したデータを読み出す。このような構成により、記録／読取部４は、符号化部３でエンコードされた映像信号、音声信号をＤＶＤ１０またはＨＤ４２に記録する。以下では、映像信号、音声信号の記録媒体への記録を録画と称する。
【００１９】
信号処理部５は、８／１６復調部、デコーダ、ＯＳＤ合成部を備えている。復調部は、ディスクドライブ４が読み取ったＲＦ信号について８／１６復調等を行い、誤り訂正を行って映像データと音声データを抽出する。デコーダは、映像データと音声データをデコードする。ＯＳＤ合成部は、制御部９が発行するコマンドに基づいてＯＳＤ合成部５の文字、キャラクタ等のＯＳＤ（On-Screen Display）を合成する。ＯＳＤ合成部は、内部に種々の画像データを記憶している。例えば、種々の文字列を表示するための文字、図形、初期設定処理９３で表示するユーザインターフェースの画像などを記憶している。ＯＳＤ合成部は、これらの枠画像と文字、図形を合成してＯＳＤを出力する。デコーダから映像信号が出力されている場合には、この映像信号とＯＳＤを合成し、出力部６に出力する。場合によっては、ＯＳＤ合成部は、映像信号の出力を禁止して、ＯＳＤのみを出力してもよい。出力部６は、Ｄ/Ａ変換器等を備え、信号処理部５で処理された映像信号、音声信号をＤ/Ａ変換する。
【００２０】
操作部８は、装置本体に対する操作を指示する入力を受け付ける。操作部８は、複数の操作キーや、リモコン受信部を有している。リモコン受信部は、リモコン装置から送信されてきた装置本体に対する制御コードを受信する。操作部８は、ユーザにより操作された操作キーに応じた入力を受け付け、これらに対応したコードや、リモコン受信部で受信した制御コードを制御部９に伝達する。例えば操作部８は、録画の指示や、録画予約を受け付ける。
【００２１】
制御部９は、マイコンで構成する。制御部９は、ＲＯＭ（または制御部９内部のフラッシュメモリ）、ＣＰＵ、ＲＡＭを備える。制御部９は、操作部８で受け付けた入力に基づいて、以上で示した装置のうち２〜８の各部の動作を制御する。また、制御部９のＲＯＭは、予め録画予約を行う録画予約処理９１、録画処理９２、初期設定処理９３を実行するためのサブルーチンを記憶している。また、フラッシュメモリ９６が制御部９の外部に接続されており、これには、ＤＶＤレコーダ１の状態や、各種初期設定の情報が記録されている。
【００２２】
録画予約処理９１では、録画予約の項目の選択を受け付ける。録画予約処理９１では、ユーザから録画予定時間Ｔ［Ｈ］、録画予定時刻、録画するテレビのチャンネル番号、曜日または日付、録画する記録媒体の指定を受け付ける。また、画質を指定するための録画モードの選択を受け付けてもよい。処理９１で受ける設定には、延長録画設定９１１を含む。なお、録画予約処理９１では、制御部９は、受信部から取り込んだ文字データを基に、電子番組表（ＥＰＧ）の画面を出力して、録画予約の放送番組を受け付けてもよい。
【００２３】
録画処理９２では、制御部９は、録画動作の開始、停止等の制御を行う。また、録画処理９２では、制御部９は、録画予約のデータに基づいて、放送番組の録画を開始する。録画処理９２には、延長録画処理９１１を含む。初期設定処理９３では、制御部９は、各種の設定の変更を受け付けて、フラッシュメモリ９９にこの設定を記録する。例えば、後述するＣＭ対策用のタイマＴ２の時間の設定を受け付ける。
【００２４】
また、ＤＶＤレコーダ１には、表示器１０１とスピーカ１０２が接続されている。表示器１０１は、出力部６から出力された映像信号に基づいて映像を表示する。例えば、液晶モニタ、プラズマモニタ、ＥＬモニタ、ブラウン管、プロジェクタなどで構成する。スピーカ１０２は、出力部６から出力された音声信号を増幅して音声を放出する。
【００２５】
次に、図２に示す録画予約処理９１の画面の例を参照して、処理９１について説明する。
【００２６】
録画予約処理９１は、操作部８のリモコンの所定のボタンが押された場合に実行する。そして、図２に示すような画面を表示する。この画面では、リモコンを操作することにより、ユーザは、録画したい番組の放送日、放送開始時刻（「開始」、図２参照、以下この文でカッコ内についても図２参照。）、放送終了予定時刻（「終了」）、チャンネル（「ＣＨ」）、最大延長時間（「延長」）を設定する。
【００２７】
終了予定時刻は、あくまで予定であって、野球放送などでは延長されることがある。また、後続の番組も、時間帯がずれて、終了時刻が延長されることがある。最大延長時間とは、終了時刻から、最大延長時間が経過すると、番組の終了にかかわらず、録画を打ち切るという時間をいうものとする。ＤＶＤレコーダ１は、後述のとおり、番組の終了を検出するので、最大延長時間が経過する前にこれを検出すれば、録画を終了する。一方、番組の終了を検出できない場合には、放送番組の終了にかかわらず、最大延長時間で番組の録画を打ち切る。これにより、万が一放送番組の終了を検出できない場合でも、録画を終了させることができる。操作部８から、最大延長時間の設定、例えば、設定ＯＦＦ（図中、「ｏｆｆ」）、３０分（図中、「３０分」）を受け付ける。
【００２８】
図３を用いて、録画処理９２について説明する。録画処理９２には、延長録画処理９２１を含んでいる。図３（Ａ）は、録画予約時の設定を図示している。制御部９は、開始時刻９３０になると、録画予約処理９１で指定されたチャンネルの録画を開始する。録画予約で設定した終了予定時刻９３２になった場合に、後述の方法により予定通り番組が終了したことを検出した場合には、放送を終了する。終了していない場合には、最大延長時間９３３が経過するまでは、この検出を行う。この時間が経過すると、制御部９は、放送番組の終了にかかわらず録画を終了させる（９３４）。
【００２９】
図３（Ｂ）は、番組終了後の処理について表わしている。この図では、説明のため、図３（Ａ）に示す番組の予定時間帯９３１を縮小し、終了時刻最大延長時間内を拡大して表示している。図３（Ｃ）も同様である。説明のため、この番組は、モノラル音声の放送とする。また、この番組には、コマーシャル（以下、「ＣＭ」と称する。）が１以上含まれるものとする。さらに、録画する番組の次の番組、およびＣＭは、図３（Ｂ）のとおりステレオ音声であり、番組の本編（ＣＭ以外）で出力される音声とは異なるものとする。
【００３０】
放送番組の終了時刻になると、音声方式がモノラルからステレオに切り換わる。この切り換わりを検出するために、録画開始後、音声方式およびＶＢＩ（垂直帰線消去期間、Vertical Blanking Interval）を開始時のデータとしてフラッシュメモリ９６に記録している。また、制御部９は、その後も定期的に音声方式およびＶＢＩを検出し、開始時のデータと比較することにより、これらの変化を検出する。
【００３１】
ここで、テレビ（表示器１０１に相当）の走査線のうち、画面表示には使われていない領域がある。これをＶＢＩといい、これには、画面を描くためのタイミングを取る同期信号のほか、文字情報が送信される。例えば、ＮＴＳＣ形式であれば、走査線のＬｉｎｅ２０、ＰＡＬであれば、Ｌｉｎｅ２３の情報を取り込む。ＶＢＩの情報には、例えば、ＮＴＳＣ方式であれば、ＴＶアスペクト、マクロビジョンＡＰＳ（コピープロテクションの一種）、著作権の情報が含まれている。また、ＰＡＬ方式であれば、ＴＶアスペクト、カメラ／フィルムモード、字幕、著作権の情報が含まれる。番組が異なれば、これらの情報が異なる可能性が高い。ただし、これらの情報のいずれかが入っていない番組も放送されている。
【００３２】
図３（Ｂ）に示す実際の終了時刻９３６以後は、音声方式がステレオ方式に切り換わるから、制御部９は、録画する番組の終了を検出できる。しかし、音声方式が切り換わって直ちに録画を打ち切ると、終了予定時刻後の最初のＣＭ９３５で録画を終了してしまう虞がある。この場合、録画予約処理９１で設定した最大延長時間９３３が経過する前であるのに、番組をすべて録画できないことになる。そこで、制御部９は、放送番組が終了した後、音声方式がステレオに切り換わったことを検出すると、５分のタイマ９３７をスタートさせる。そして、音声方式が切り換わった状態が５分継続する場合には、録画を停止させ、その後は録画しない（時間９３８）。５分経過する前に、元のモノラル音声に戻った場合には、５分のタイマ９３７をリセットし、録画を継続する。
【００３３】
ＣＭが番組途中で５分も継続することは少ない。したがって、このように切り換わった状態を一定時間継続していることを検出すれば、ＣＭに切り換わったときに誤って録画を終了する可能性を減少させることができる。制御部９が音声方式、ＶＢＩ情報の切換を検出できる限り、最大延長時間９３３が終了するまでは、番組の最後を検出して録画することができる。
【００３４】
図３（Ｃ）は、ユーザが録画予約処理９１で最大延長時間９３３を短く設定した場合を示している。この場合には、放送の実際の終了時刻９３６の前に録画を打ち切る（９３９）。したがって、５分のタイマ９３７が作動せずに終了する場合もありうる。
【００３５】
なお、図３（Ｂ）では、録画しない時間９３８を斜線部で示しているが、もちろんこの時間帯でも、ステレオ音声となっている場合がありうる。図３（Ｂ）、図３（Ｃ）では、説明の容易のために音声方式の変化を取り上げて説明したが、音声方式が切り換わらなくても、ＶＢＩの情報が切り換われば、上記タイマをスタートさせる。また、以上の説明は、番組の本編がモノラル放送でなくとも、ステレオ放送、多チャンネル音声の放送でも音声フォーマットの変化があれば、適用出来る。また、上記タイマをリセットするには、ＶＢＩの中のすべての情報および音声フォーマットが録画開始時と同じになることを条件とする。
【００３６】
次に、図４、図５のフロー図を用い、録画処理９２について説明する。図４は、処理９２のフロー図、図５は、図４の分岐記号１から分岐するサブフローである。制御部９は、録画予約処理９１で設定された開始日の開始時刻になるまで、録画を待機している（ＳＴ１のＮＯ）。開始時刻になると（ＳＴ１のＹＥＳ）、ＳＴ２で、制御部９は、記録／読取部４等を制御して、録画を開始させる。ＳＴ３で、録画開始直後の音声情報、ＶＢＩの情報を初期データとしてフラッシュメモリ９６に記憶させる。ＳＴ４で、録画予約処理９１で設定された終了時刻になったかどうか判断する。終了時刻になるまで（ＳＴ４のＮＯ）、録画を継続する。終了時刻になると（ＳＴ４のＹＥＳ）、ＳＴ５１に移動する。
【００３７】
ＳＴ５１〜ＳＴ５４および図５のサブフローは、延長録画処理９２１を表わしている。図５のサブフローは、ＣＭを考慮したタイマ処理である。分岐記号１と分岐記号２を短絡し、分岐記号３を省略すると、このタイマ処理を行わないフローになる。ＳＴ５１では、制御部９は、録画予約処理９１で最大延長時間が設定されているか、設定されずにｏｆｆ（図２参照。）になっているか判断する。これが設定されている場合には（ＳＴ５１のＹＥＳ）、ＳＴ５２に進む。これが設定されていない場合には（ＳＴ５１のＮＯ）、録画の終了時刻に到達したから、ＳＴ６に進む。ＳＴ６で、制御部９は、録画を停止させる。
【００３８】
ＳＴ５２では、ＳＴ３と同様に、音声形式、ＶＢＩ情報（以下、「音声形式等」と称する。）をフラッシュメモリ９６に記録する。ＳＴ５３では、これらすべてがそれぞれ初期データと一致するかどうか判断する。一致する場合には（ＳＴ５３のＹＥＳ）、録画開始時の番組が現在も継続していると判断できる。この場合には、ＳＴ５４に移動する。一致しない場合には（ＳＴ５３のＮＯ）、録画開始時の番組が終了したか、ＣＭが始まったと判断できる。この場合には、図５の分岐記号１に移動する。仮に、図４をＣＭを考慮しないフローに置き換えると、別番組が始まったと判断できるので、ＳＴ６で録画を停止する。
【００３９】
ＳＴ５４では、最大延長時間（これをＴ１とする。）が経過したかどうか判断する。音声等の情報が初期データに元通り一致し（ＳＴ５３のＹＥＳ）、かつ、最大延長時間が経過していない場合には（ＳＴのＮＯ）、録画を継続する。最大延長時間が経過すると、ＳＴ６に移動し、記録／読取部４は、録画を停止する。
【００４０】
図５は、ＳＴ５３の判断で、音声形式等が初期データと一致しない場合、即ち、録画開始時の番組が終了したか、ＣＭが始まったと判断できる場合に分岐するフローである。ＳＴ５３１で、ＣＭが始まったかどうか判断するため、タイマＴ２を起動する。Ｔ２は、これを、例えば、図３のとおり５分とすることができる。ＳＴ５３２で、時間Ｔ２経過したかどうか判断する。経過した場合には（ＳＴのＹＥＳ）、ＣＭが始まったのではなく、番組が切り換わったものと判断できる。そこで、図４の分岐記号２に戻り、録画を停止する（ＳＴ６）。Ｔ２が経過していない時間では、ＳＴ５３３〜ＳＴ５３６の動作を繰り返す。
【００４１】
ＳＴ５３３では、最大延長時間Ｔ１が経過したかどうか判断する。経過した場合には、分岐記号２から図４に戻り、録画を停止する（ＳＴ６）。Ｔ１が経過していない場合には、録画を継続する。そして、ＳＴ５３４で、定期的に（例えば、数秒おきまたは数分おきに）音声情報等をフラッシュメモリ９６に記録する。
【００４２】
ＳＴ５３５では、ＳＴ５３と同様の判断を行う。音声情報等が初期データと一致しない限り（ＳＴのＮＯ）、ＣＭが継続している（または番組が終了している）と判断できる。この場合には、ＳＴ５３２に戻り、タイマＴ２の時間が経過するまで、ＳＴ５３３〜ＳＴ５３６５の動作を繰り返す。タイマＴ２の時間が経過しない間に（ＳＴ５３２のＮＯ）、音声情報等が初期データと一致する場合には（ＳＴのＮＯ）、ＣＭから元の番組に戻ったと判断できる。この場合には、タイマＴ２をリセットして、分岐記号３から図４に戻る。その後ＳＴ５２〜ＳＴ５４、図５のフローを繰り返す。
【００４３】
なお、以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。
【００４４】
また、本実施形態の記録媒体としては、映像信号、音声信号を記録できればよく、光ディスクのほかフラッシュメモリ等の持ち運びできるもののみならず、据付のハードディスクでも良い。光ディスクドライブ４１、ハードディスクドライブ（ＨＤＤ）４３いずれも備える必要はなく、１種類以上の記録媒体に記録できる構成を備えていれば良い。
【００４５】
さらに、以上で説明した録画装置は、デジタル形式で録画するものであるが、ビデオテープなどアナログ形式で録画する場合にも適用できる。ＣＭのためにタイマの時間Ｔ２を５分としたがこれより多くても短くても良い。前述のとおり、初期設定処理で設定しても良い。
【図面の簡単な説明】
【００４６】
【図１】本実施形態の装置の概略構成を表わしている。
【図２】本実施形態で録画予約処理をする場合の表示器に表示される画面の例を表わしている。
【図３】録画処理を説明する図を表わしている。
【図４】本実施形態の録画処理を表わすフロー図である。
【図５】図４のサブフロー図である。
【符号の説明】
【００４７】
１−ＤＶＤレコーダ、  ２−入力部、  ３−符号化部、
４−記録／読取部、  ４１−光ディスクドライブ、  ４２−ハードディスク（ＨＤ）、
４３−ハードディスクドライブ（ＨＤＤ）、  ５−信号処理部、  ６−出力部、
８−操作部、  ９−制御部、  ９１−録画予約処理、
９１１−延長録画設定、  ９２−録画処理、  ９２１−延長録画処理、
９３−初期設定処理、  ９６−フラッシュメモリ、
１０−ＤＶＤ、  １０１−表示器、  １０２−スピーカ、
【図１】
2009164934.tif 000003
【図２】
2009164934.tif 000004
【図３】
2009164934.tif 000005
【図４】
2009164934.tif 000006
【図５】
2009164934.tif 000007